(57)【特許請求の範囲】
【請求項１】
製版工程から受け渡される演算後ファイルまたはページ記述言語ファイルを用いて、刷版・印刷工程においてデジタル的に殖版処理を行うデジタル殖版機であって、
前記演算後ファイルは、
予め定めた１または２以上のページの個々に対応して作成されたページデータをＲＩＰ演算処理して作成し、当該ページ内の各画素に対応する網点濃度データを少なくとも有するＲＩＰファイルと、
前記ＲＩＰファイルのすべてあるいは一部に関し、当該ＲＩＰファイル内の各データの配置基準となるページ原点データを少なくとも有する配置情報とを含み、
前記ページ記述言語ファイルは、
予め定めた１または２以上のページの個々に対応してページ記述言語により作成し、当該ページ内の各画素に対応する網点濃度データを少なくとも有するページ記述言語データと、
前記ページ記述言語データのすべてあるいは一部に関し、当該ページ記述言語データ内の各データの配置基準となるページ原点データを少なくとも有する配置情報とを含み、
前記演算後ファイルおよび前記ページ記述言語ファイルの双方のファイルを入力し、当該双方のファイルの内いずれか一方を選択して出力する選択部を備え、
前記選択部において選択されたファイル内の前記配置情報の前記ページ原点の配置を、仕上がり枠の基準となる原点の位置に対して相対的に決定することにより、当該ＲＩＰファイルあるいは当該ページ記述言語データ単位での見当加減の調整を行う手段と、
前記ＲＩＰファイルあるいは前記ページ記述言語データの各網点の濃度を補正テーブルを用いて変換することにより、当該ＲＩＰファイルあるいは当該ページ記述言語データの単位で露光加減の調整を行う手段とを備える、デジタル殖版機。
【請求項２】
前記ページ記述言語データは、当該ページ記述言語データ内に構成される部品を表現するベクトルデータをさらに有しており、
前記選択部において前記ページ記述言語ファイルを選択した場合、前記露光加減の調整を行う手段は、前記ページ記述言語データの各網点の濃度を前記補正テーブルを用いて変換する際に、前記ベクトルデータを用いて任意の部品を指定することにより、当該ページ記述言語データ内の部品単位での露光加減の調整が可能なことを特徴とする、請求項１に記載のデジタル殖版機。
【請求項３】
コンピュータ装置において実行されるプログラムを記録した記録媒体であって、
予め定めた１または２以上のページの個々に対応して作成されたページデータをＲＩＰ演算処理して作成し、当該ページ内の各画素に対応する網点濃度データを少なくとも有するＲＩＰファイルと、当該ＲＩＰファイルのすべてあるいは一部に関し、当該ＲＩＰファイル内の各データの配置基準となるページ原点データを少なくとも有する配置情報とを含む演算後ファイルと、
予め定めた１または２以上のページの個々に対応してページ記述言語により作成し、当該ページ内の各画素に対応する網点濃度データを少なくとも有するページ記述言語データと、当該ページ記述言語データのすべてあるいは一部に関し、当該ページ記述言語データ内の各データの配置基準となるページ原点データを少なくとも有する配置情報とを含むページ言語記述ファイルとに対して、
前記演算後ファイルおよび前記ページ記述言語ファイルの双方のファイルを入力し、当該双方のファイルの内いずれか一方を選択するステップと、
選択されたファイル内の前記配置情報の前記ページ原点の配置を、仕上がり枠の基準となる原点の位置に対して相対的に決定することにより、当該ＲＩＰファイルあるいは当該ページ記述言語データ単位での見当加減の調整を行うステップと、
前記ＲＩＰファイルあるいは前記ページ記述言語データの各網点の濃度を補正テーブルを用いて変換することにより、当該ＲＩＰファイルあるいは当該ページ記述言語データの単位で露光加減の調整を行うステップとを含む動作環境を前記コンピュータ装置上で実現するためのプログラムを記録した、記録媒体。
【請求項４】
前記ページ記述言語データは、当該ページ記述言語データ内に構成される部品を表現するベクトルデータをさらに有しており、
前記選択するステップにおいて前記ページ記述言語ファイルを選択した場合、前記露光加減の調整を行うステップは、前記ページ記述言語データの各網点の濃度を前記補正テーブルを用いて変換する際に、前記ベクトルデータを用いて任意の部品を指定することにより、当該ページ記述言語データ内の部品単位での露光加減の調整が可能なことを特徴とする、請求項３に記載の記録媒体。
【発明の詳細な説明】
【０００１】
【発明の属する技術分野】
本発明は、デジタル殖版機に関し、より特定的には、製版処理工程からのデジタルデータ出力を用いて、刷版・印刷処理工程でデジタル的な見当加減および露光加減の調整を行うデジタル殖版機に関する。
【０００２】
【従来の技術】
周知のように、クライアントから受注した企画内容を印刷物として完成させるまでには、デザイン工程、製版工程および刷版・印刷工程の各工程を経る（図１５を参照）。デザイン工程では、企画内容に沿ってデザインし、版下を作成する。製版工程では、この版下をもとに、絵柄，線画，文字列を配置してレイアウト済みのフィルムを作成する。刷版・印刷工程では、このフィルムに基づいて必要な殖版処理を行って刷版を作成し、その後印刷により印刷物を完成させる。
【０００３】
これらの工程のうちデザイン工程から製版工程に至るまでのデータ処理は、近年のコンピュータ技術および各種製版処理ソフトウエアの普及により、アナログ処理からＤＴＰ（Ｄｅｓｋ  Ｔｏｐ  Ｐｕｂｌｉｓｈｉｎｇ）によるデジタル処理へと移り変わり、作業の合理化が図られてきている。この合理化により、デザイン工程では、ＤＴＰ処理によりデジタル化されたデータ上でのデザインおよび編集が可能となり、デジタルの版下データを出力することができる。そして、製版工程では、上記デジタルの版下データに基づいて、絵柄，線画，文字列を配置した上で製版加工（Ｔｒａｐ処理等）およびＲＩＰ（Ｒａｓｔｅｒ  ＩｍａｇｅＰｒｏｃｅｓｓｉｎｇ）等の必要なデジタル演算処理を実行してデジタルページデータを求め、所定のサイズのフィルムおよびカラー校正を出力する。
【０００４】
これに対し、刷版・印刷工程では、製版工程から出力されるフィルムを受けてアナログ的に以下に示すような処理を行っている。
まず、製版工程から受けたフィルムの付け合わせ（別種のフィルムが一つの刷版上で構成されるように合わせること）等の殖版処理を行う。次に、この付き合わせを終えたフィルムと未露光の刷版とを重ねた後、露光処理をして絵柄，線画等を刷版に焼き付ける。そして、この露光処理後の刷版を印刷機にセットして印刷用紙に印刷を行う。
【０００５】
上述したような作業を経て、印刷物が完成するわけである。しかし、現実には、印刷される刷版上のデータ（画像や文字，チント等）のインク濃度、気象条件（温度，湿度等）、印刷機の印刷用紙搬送系機構の経年劣化、あるいは印刷用紙の質（伸縮性等）などの要因で、印刷物の各版（Ｙ，Ｍ，Ｃ，Ｋおよび特色）の位置に微妙なズレが生じたり、色（インク）が部分的に干渉したりする場合がある。また、印刷物の色調の全体的なバランスの変更、クライアントからの要望、あるいは製版ミスが発生する場合がある。これらの事由により、最終的な印刷物が完成するまでに、刷版上のデータの位置や色調を再度微調整して殖版処理をやり直すことが少なくない。
【０００６】
上記殖版処理のやり直し作業のうち、刷版上のデータの位置の微調整は、見当加減の調整といい、再度フィルムの付け合わせを実施することで行う。一方、刷版上のデータの色調の微調整は、露光加減の調整といい、再度刷版への焼き付けを行う際にフィルム内のページデータ領域あるいは部品（ページ内の絵柄，文字等の）領域にマスクをかけて、部分的に露光時間を変化させることで行う。
【０００７】
【発明が解決しようとする課題】
上述した見当加減および露光加減の調整は、すべてフィルム上で手作業で行われるものであり、作業者には熟練した技術と経験が要求される。しかし、いくら作業者が熟練した技術と経験を有しているからといっても、当該作業が人為的なものである限り調整誤差の発生は避けられない。そのため、最終的な刷版を完成させるまでに見当加減および露光加減の調整を幾度も繰り返し行うこともあり、多くの時間がかかってしまうという問題がある。
このため、従来から見当加減および露光加減の調整に関し、作業効率の観点から印刷精度の向上および作業の省力化が望まれていた。
【０００８】
それ故、本発明の目的は、フィルム出力の代わりにデジタルデータのファイル出力を用いて、刷版・印刷工程においてデジタル的な見当加減および露光加減の調整を可能としたデジタル殖版機を提供することである。
【０００９】
【課題を解決するための手段および発明の効果】
第１の発明は、製版工程から受け渡される演算後ファイルを用いて、刷版・印刷工程においてデジタル的に殖版処理を行うデジタル殖版機であって、
演算後ファイルは、
予め定めた１または２以上のページの個々に対応して作成されたページデータをＲＩＰ演算処理して作成し、当該ページ内の各画素に対応する網点濃度データを少なくとも有するＲＩＰファイルと、
ＲＩＰファイルのすべてあるいは一部に関し、当該ＲＩＰファイル内の各データの配置基準となるページ原点データを少なくとも有する配置情報とを含み、配置情報のページ原点の配置を、仕上がり枠の基準となる原点の位置に対して相対的に決定することにより、ＲＩＰファイル単位での見当加減の調整を行う手段と、
ＲＩＰファイルの各網点の濃度を補正テーブルを用いて変換することにより、当該ＲＩＰファイルの単位で露光加減の調整を行う手段とを備える。
【００１０】
上記のように、第１の発明によれば、殖版機が受ける中間媒体に従来のようなフィルムではなく、ＲＩＰファイルと配置情報とからなるデジタルデータである演算後ファイルを用いている。従って、刷版・印刷工程での見当加減および露光加減の調整がデジタルデータ上で可能となり、作業者は熟練した技術と経験に頼ることなく、当該加減の微妙な調整を数値入力または指示により確実かつ迅速に行うことができる。これにより、刷版・印刷工程での作業の省力化が図れると共に、印刷精度の向上をも図ることができる。
【００１１】
第２の発明は、製版工程から受け渡されるページ記述言語ファイルを用いて、刷版・印刷工程においてデジタル的に殖版処理を行うデジタル殖版機であって、
ページ記述言語ファイルは、
予め定めた１または２以上のページの個々に対応してページ記述言語により作成し、当該ページ内の各画素に対応する網点濃度データを少なくとも有するページ記述言語データと、
ページ記述言語データのすべてあるいは一部に関し、当該ページ記述言語データ内の各データの配置基準となるページ原点データを少なくとも有する配置情報とを含み、
配置情報のページ原点の配置を、仕上がり枠の基準となる原点の位置に対して相対的に決定することにより、ページ記述言語データ単位での見当加減の調整を行う手段と、
ページ記述言語データの各網点の濃度を補正テーブルを用いて変換することにより、当該ページ記述言語データ単位で露光加減の調整を行う手段とを備える。
【００１２】
上記のように、第２の発明によれば、殖版機が受ける中間媒体に従来のようなフィルムではなく、ページ記述言語データと配置情報とからなるデジタルデータであるページ記述言語ファイルを用いている。従って、刷版・印刷工程での見当加減および露光加減の調整がデジタルデータ上で可能となり、作業者は熟練した技術と経験に頼ることなく、当該加減の微妙な調整を数値入力または指示により確実かつ迅速に行うことができる。これにより、刷版・印刷工程での作業の省力化が図れると共に、印刷精度の向上をも図ることができる。
【００１３】
第３の発明は、第２の発明において、ページ記述言語データは、当該ページ記述言語データ内に構成される部品を表現するベクトルデータをさらに有しており、
露光加減の調整を行う手段は、ページ記述言語データの各網点の濃度を補正テーブルを用いて変換する際に、ベクトルデータを用いて任意の部品を指定することにより、当該ページ記述言語データ内の部品単位での露光加減の調整が可能なことを特徴とする。
【００１４】
上記のように、第３の発明によれば、第２の発明におけるページ記述言語データは、当該ページ記述言語データ内に構成される部品ごとのベクトルデータをさらに有している。これにより、露光加減の調整を行うとき、補正テーブルによる濃度の変換の際に上記ベクトルデータをも指定してやることで、ページ記述言語データ全体の単位のみならずその中に存在する部品の単位で露光加減の調整を行うことができる。
【００１５】
第４の発明は、製版工程から受け渡される演算後ファイルまたはページ記述言語ファイルを用いて、刷版・印刷工程においてデジタル的に殖版処理を行うデジタル殖版機であって、
演算後ファイルは、
予め定めた１または２以上のページの個々に対応して作成されたページデータをＲＩＰ演算処理して作成し、当該ページ内の各画素に対応する網点濃度データを少なくとも有するＲＩＰファイルと、
ＲＩＰファイルのすべてあるいは一部に関し、当該ＲＩＰファイル内の各データの配置基準となるページ原点データを少なくとも有する配置情報とを含み、
ページ記述言語ファイルは、
予め定めた１または２以上のページの個々に対応してページ記述言語により作成し、当該ページ内の各画素に対応する網点濃度データを少なくとも有するページ記述言語データと、
ページ記述言語データのすべてあるいは一部に関し、当該ページ記述言語データ内の各データの配置基準となるページ原点データを少なくとも有する配置情報とを含み、
演算後ファイルおよびページ記述言語ファイルの双方のファイルを入力し、当該双方のファイルの内いずれか一方を選択して出力する選択部を備え、
選択部において選択されたファイル内の配置情報のページ原点の配置を、仕上がり枠の基準となる原点の位置に対して相対的に決定することにより、当該ＲＩＰファイルあるいは当該ページ記述言語データ単位での見当加減の調整を行う手段と、
ＲＩＰファイルあるいはページ記述言語データの各網点の濃度を補正テーブルを用いて変換することにより、当該ＲＩＰファイルあるいは当該ページ記述言語データの単位で露光加減の調整を行う手段とを備える。
【００１６】
上記のように、第４の発明によれば、殖版機が受ける中間媒体に従来のようなフィルムではなく、ＲＩＰファイルと配置情報とからなるデジタルデータである演算後ファイル、またはページ記述言語データと配置情報とからなるデジタルデータであるページ記述言語ファイルを選択的に用いている。従って、刷版・印刷工程での見当加減および露光加減の調整がデジタルデータ上で可能となり、作業者は熟練した技術と経験に頼ることなく、当該加減の微妙な調整を数値入力または指示により確実かつ迅速に行うことができる。これにより、刷版・印刷工程での作業の省力化が図れると共に、印刷精度の向上をも図ることができる。
【００１７】
第５の発明は、第４の発明において、ページ記述言語データは、当該ページ記述言語データ内に構成される部品を表現するベクトルデータをさらに有しており、
選択部においてページ記述言語ファイルを選択した場合、露光加減の調整を行う手段は、ページ記述言語データの各網点の濃度を補正テーブルを用いて変換する際に、ベクトルデータを用いて任意の部品を指定することにより、当該ページ記述言語データ内の部品単位での露光加減の調整が可能なことを特徴とする。
【００１８】
上記のように、第５の発明によれば、第４の発明において、選択部でページ記述言語ファイルが選択された場合、当該ページ記述言語データが有する部品ごとのベクトルデータを指定することで、当該ページ記述言語データ単位だけでなくページ記述言語データ内に構成される部品単位で露光加減の調整ができる。
【００１９】
第６の発明は、コンピュータ装置において実行されるプログラムを記録した記録媒体であって、
予め定めた１または２以上のページの個々に対応して作成されたページデータをＲＩＰ演算処理して作成し、当該ページ内の各画素に対応する網点濃度データを少なくとも有するＲＩＰファイルと、当該ＲＩＰファイルのすべてあるいは一部に関し、当該ＲＩＰファイル内の各データの配置基準となるページ原点データを少なくとも有する配置情報とを含む演算後ファイルに対して、
配置情報のページ原点の配置を、仕上がり枠の基準となる原点の位置に対して相対的に決定することにより、ＲＩＰファイル単位での見当加減の調整を行うステップと、
ＲＩＰファイルの各網点の濃度を補正テーブルを用いて変換することにより、当該ＲＩＰファイルの単位で露光加減の調整を行うステップとを含む動作環境をコンピュータ装置上で実現するためのプログラムを記録している。
【００２０】
第７の発明は、コンピュータ装置において実行されるプログラムを記録した記録媒体であって、
予め定めた１または２以上のページの個々に対応してページ記述言語により作成し、当該ページ内の各画素に対応する網点濃度データを少なくとも有するページ記述言語データと、当該ページ記述言語データのすべてあるいは一部に関し、当該ページ記述言語データ内の各データの配置基準となるページ原点データを少なくとも有する配置情報とを含むページ記述言語ファイルに対して、
配置情報のページ原点の配置を、仕上がり枠の基準となる原点の位置に対して相対的に決定することにより、ページ記述言語データ単位での見当加減の調整を行うステップと、
ページ記述言語データの各網点の濃度を補正テーブルを用いて変換することにより、当該ページ記述言語データの単位で露光加減の調整を行うステップとを含む動作環境をコンピュータ装置上で実現するためのプログラムを記録している。
【００２１】
第８の発明は、第７の発明において、ページ記述言語データは、当該ページ記述言語データ内に構成される部品を表現するベクトルデータをさらに有しており、
露光加減の調整を行うステップは、ページ記述言語データの各網点の濃度を補正テーブルを用いて変換する際に、ベクトルデータを用いて任意の部品を指定することにより、当該ページ記述言語データ内の部品単位での露光加減の調整が可能なことを特徴とする。
【００２２】
上記のように、第６〜第８の発明は、それぞれ第１〜第３の発明のデジタル殖版機の機能を実行するプログラムを記録した記録媒体である。これは、第１〜第３の発明のデジタル殖版機が実行する機能を、他の殖版機にソフトウエアの形態で供給することに対応させたものである。従って、第６〜第８の発明の効果は、第１〜第３の発明の効果と同様である。
【００２３】
【発明の実施の形態】
図１は、本発明の一実施形態に係るデジタル殖版機を用いる処理システムの構成を示すブロック図である。図１において、本発明の一実施形態に係るデジタル殖版機を用いる処理システムは、デザイン工程と、製版工程と、刷版・印刷工程とからなる。
【００２４】
デザイン工程では、発注元であるクライアントの要望を企画化する。そして、この企画化した内容を版下データにすべく、ＤＴＰにより処理を行う。製版工程では、デザイン工程から版下データを受けて絵柄，線画，文字列を配置した後、製版加工を経て作成されたページデータ（ページ記述言語にて作成されたページ毎のデータ）に対して予め定めたＲＩＰ演算の処理を行い、演算後ファイル２０１を出力する。ここで、予め定めたＲＩＰ演算処理とは、網掛け処理のみを行わないＲＩＰ演算処理をいう。この演算後ファイル２０１は、クライアント向けの校正出力と、この演算後ファイル２０１を最終生成物として付け合わせ編集して出力した場合に、相関がとれる。この演算後ファイル２０１は、複数のページデータ（以下、複数のページデータの集まりをページ記述言語ファイル５０１と称する）と共に、刷版・印刷工程に送られる。刷版・印刷工程では、演算後ファイル２０１またはページ記述言語ファイル５０１の内いずれか一つを処理の目的に応じて選択し、殖版処理を行って刷版を出力する。この殖版処理で行われる内容は、逐次表示装置で確認することができ、また処理を指示することも可能である。さらに、殖版処理された演算後ファイル２０１またはページ記述言語ファイル５０１は、必要に応じて保存される。演算後ファイル２０１またはページ記述言語ファイル５０１の選択を含めて殖版処理の部分が、後述する本発明に係るデジタル殖版機で行われる。
【００２５】
まず、本発明の一実施形態に係るデジタル殖版機を説明する前に、当該デジタル殖版機に用いる演算後ファイル２０１およびページ記述言語ファイル５０１のデータ構造について説明する。
【００２６】
演算後ファイル２０１のデータ構造の一例を、図２に示す。図２では、印刷物が１６ページ折りとなる場合に対応した演算後ファイル群を示している。図２において、本発明の一実施形態に係るデジタル殖版機に用いる演算後ファイル２０１は、２種類のデータによって構成される。１つはＲＩＰ処理を行ったデータ（以下、ＲＩＰファイルと称する）２０２であり、もう１つは当該データに関する配置情報２０３である。
【００２７】
ＲＩＰファイル２０２とは、ページ記述言語で作成されたページデータをデジタル演算して、ラスターの形式で出力したデジタルデータのファイルをいう。なお、このデジタル演算処理では、後段の刷版・印刷工程においてドットゲイン調整を可能とするために、網掛け処理（階調を大小の網点に変換する処理）を行っていないラスター形式で出力している。このＲＩＰファイル２０２は、図２に示すように、各ページごとに作成される。
上記ＲＩＰファイル２０２に構成されるデータリストの一例を、図３に示す。図３において、データリストには、まず当該ＲＩＰファイル２０２のページ番号が記述される。そして、それぞれの画素に対応して番号、座標値（配置情報２０３の原点座標に対応する値である）、網濃度（網点を生成する際の露光濃度である）等のデータが記述される。なお、実際には、１つのページ番号に対して各版、すなわちＹ（イエロー）版，Ｍ（マゼンタ）版，Ｃ（シアン）版，Ｋ（黒）版および必要に応じて特色（Ｙ，Ｍ，Ｃ，Ｋ以外の色の）版の個々に関してデータリストが構成される。
【００２８】
配置情報２０３とは、演算後ファイル２０１ごとに存在し、当該演算後ファイル２０１に含まれる複数のページ、すなわちＲＩＰファイル２０２の（刷版上の）配置に関するデータである。このページの数は、製版工程を受け持つ会社等が使用する機器や仕事内容等により、任意に決定することができる。図２においては、４ページを１つの演算後ファイル２０１としている場合を例として挙げており、この場合の各配置情報２０３は、それぞれ４ページ分の配置に関するデータを有している。
上記配置情報２０３に構成されるデータリストの一例を、図４に示す。図４において、データリストには、まずページ番号が記述される。この配置情報２０３におけるページ番号は、ＲＩＰファイル２０２におけるページ番号に対応するものである。そして、ページ番号が示すＲＩＰファイル２０２の原点の座標値、および当該ＲＩＰファイル２０２のデータ領域を対角座標値（なお、図４においては、原点座標からの変化量として示している）として記述する。さらに、ページが表面か裏面かを示すページ面、ページの向きを示す回転等のデータが記述される。なお、配置情報２０３についても、各版（Ｙ，Ｍ，Ｃ，Ｋおよび特色）のそれぞれについてデータリストが構成される。
【００２９】
一方、ページ記述言語ファイル５０１のデータ構造の一例を図５に示す。図５におけるページ記述言語ファイル５０１は、基本的に図２における演算後ファイル２０１と同様の構造をしており、２種類のデータによって構成される。１つはページ記述言語データ５０２であり、もう１つは当該データに関する配置情報５０３である。
【００３０】
ページ記述言語データ５０２とは、ページ記述言語で作成されたデジタルのページデータのファイルをいう（すなわち、ＲＩＰ演算処理前のファイルである）。図５に示すように、このページ記述言語データ５０２も上記ＲＩＰファイル２０２と同様に、各ページごとに作成される。
上記ページ記述言語データ５０２に構成されるデータリストの一例を、図６に示す。図６において、データリストには、まず当該ページ記述言語データ５０２のページ番号が記述される。そして、各データは、「ジョブ」という単位で構成されている。このジョブとは、仕事（データ）の構成単位であり、例えば、絵柄・図形（部品）や部分領域等を１ジョブとしてまとめることができる。従って、ジョブ毎にそれぞれジョブを構成する画素の番号、座標値（配置情報５０３の原点座標に対応する値である）、色調濃度等のデータが記述される。なお、実際には、このページ記述言語データ５０２も上記ＲＩＰファイル２０２の場合と同様に、１つのページ番号に対して各版（Ｙ，Ｍ，Ｃ，Ｋおよび特色）の個々に関してデータリストが構成される。
【００３１】
配置情報５０３は、ページ記述言語ファイル５０１ごとに存在し、当該ページ記述言語ファイル５０１に含まれる複数ページ、すなわちページ記述言語データ５０２の（刷版上の）配置に関するデータである。このページ記述言語ファイル５０１における配置情報５０３は、上述した演算後ファイル２０１における配置情報２０３と同様の構成であり（図４を参照）、ここではその説明を省略する。なお、ページ記述言語としては、「Ｐｏｓｔ  Ｓｃｒｉｐｔ（アドビシステムズ社の登録商標）」等を使用することができる。
【００３２】
次に、図７を参照して、上記演算後ファイル２０１またはページ記述言語ファイル５０１を用いてデジタル的に見当加減および露光加減の調整を行う本発明の一実施形態に係るデジタル殖版機について説明する。なお、以下の説明においては、処理の流れの理解を容易にするため、本願発明の主眼である見当加減および露光加減の調整処理以外に、デジタル殖版機が行い得る処理も随時並行して記述している。
【００３３】
図７は、本発明の一実施形態に係るデジタル殖版機の構成を示すブロック図である。図７において、本発明の一実施形態に係るデジタル殖版機１は、選択部１７と、圧縮解凍部１１と、面付け部１２と、大貼り部１３と、アクセサリー処理部１４と、コントロール部１５と、網点生成部１６とを備えている。
【００３４】
デジタル殖版機１は、端末２１と接続されている。オペレータは、デジタル殖版機１で行う見当加減および露光加減の調整等の殖版に関する処理内容を端末２１から指示したり、端末２１の表示画面上で確認を行ったりする。また、デジタル殖版機１は、コントロール部１５を介して印刷機３１と接続されている。これにより、端末２１は、印刷機３１の情報を知ることができる。さらに、デジタル殖版機１は、外部の記憶装置４１と接続されており、必要に応じてファイルまたはデータを記録したり読み出したりする。
【００３５】
選択部１７は、殖版処理の目的により、入力される演算後ファイル２０１またはページ記述言語ファイル５０１の内いずれか一つを選択して出力する（以下、選択ファイルという）。圧縮解凍部１１は、選択部１７から受け取った選択ファイルが圧縮されている場合に、当該選択ファイルを解凍して元のサイズのファイルに戻す。この圧縮は、製版工程において選択ファイルが余りにも膨大である場合に行われることがあり、圧縮解凍部１１は、これに対応したものである。面付け部１２は、上記選択ファイルに基づき、各ページごとに面付け・付け合わせ、見当加減の調整および露光加減の調整を行い、面付けデータを作成する。なお、この面付けデータを作成する際に必要な印刷機３１についての情報は、上述のようにコントロール部１５を介して端末２１に伝えられる。大貼り部１３は、面付け部１２で作成した複数の面付けデータを刷版上で最適な配置になるように位置決めを行う。この大貼り部１３で行う位置決めは、端末２１の表示画面上で確認しながら行うことができる。アクセサリー部１４は、印刷機３１の種類により異なる印刷の際に必要なアクセサリー（カラーパッチ，オフセット輪転機マーク等）やトンボ（品質管理や印刷体裁等の指標として使用するマーク）を外部から読み込み、そして、当該アクセサリー等が刷版上で必要な位置に配置されるように位置決めを行う。網点生成部１７は、上記各種のデータ処理が終わった選択ファイルを受けて、１ページ毎ではなく複数ページをまとめた網点のデータに変換する。ここで、網点生成部１７は、コントロール部１５からの指示により、印刷機３１に合ったドットゲイン調整を受ける。そして、この網点生成部１７で生成した網点のデータから最終的に刷版が作成される。コントロール部１５は、出力する印刷機３１の管理、エラー処理、出力する刷版の管理およびインキ制御用データの作成などを行う。
【００３６】
次に、上記面付け部１２で行われる見当加減および露光加減の調整を含め、デジタル殖版機１で行われる処理の内容を、図３、図４、図６および図８を用いて説明する。図８は、デジタル殖版機１が位置する刷版・印刷工程における処理の流れの一例を示す図である。
【００３７】
図８を参照して、製版工程から記録媒体等の保存メディアまたはネットワークによる通信によって演算後ファイル２０１およびページ記述言語ファイル５０１を受けた刷版・印刷工程では、殖版処理の目的により当該双方のファイルの内いずれか一つを選択する（ステップＳ８０１）。ここでいう殖版処理の目的とは、具体的には後述する露光加減の調整において部分的に露光加減の調整を行うか否かである。このステップＳ８０１で選択された選択ファイルは、必要に応じて圧縮解凍の処理がされる（ステップＳ８０２）。そして、圧縮解凍の処理後、選択ファイル内の各データに基づいて情報リストを作成する（ステップＳ８０３）。この情報リストとは、オペレータが操作する端末２１の表示画面上に各設定状態を映像として表示するためのものであって、上記選択ファイルから必要なデータを抽出して作成される。
【００３８】
次に、付け合わせ・面付け・大貼り（以下、付け合わせ等と略す）を行うのであるが、ここで、テンプレート（以前に殖版処理を行った時の各種の設定値を、設定値の一例として保存したデータ）を使用するか否かを判断する（ステップＳ８０４）。既存のテンプレートを使用する場合は、そのテンプレートが格納されている記録装置から内容を読み出して設定値に用いる（ステップＳ８０５）。また、ここで付け合わせ編集をテンプレートに対して行うことも可能である。使用しない場合は、新たに各設定値を計算して付け合わせ等の編集を行う（ステップＳ８０６）。そして、次に印刷に必要なアクセサリーやトンボの配置を行う（ステップＳ８０７）。
【００３９】
付け合わせ等およびアクセサリー等の処理が終わると、次に、まず見当加減の調整を行うか否かを判断する（ステップＳ８０８）。ここで、見当加減の調整を行う場合、オペレータが端末２１から見当加減に関する指示を行う（ステップＳ８０９）。そして、ステップＳ８０９における指示の後、あるいは見当加減の調整を行わない場合は、続いて露光加減の調整を行うか否かを判断する（ステップＳ８１０）。露光加減の調整を行う場合、オペレータが端末２１から露光加減に関する指示を行う（ステップＳ８１１）。
【００４０】
ここで、上記見当加減および露光加減の調整およびその指示について、図９および図１０を参照して詳細に説明する。
まず、見当加減の調整とは、図９（ａ）に示すように、仕上がり時の印刷用紙９００上のページデータ（ＲＩＰファイル２０２またはページ記述言語データ５０２に相当）９１０の位置を調整するものである。これらの調整は、仕上がり枠の原点座標（図９においては、印刷用紙９００の左下角としている）９０１から見当加減の調整を行うページデータ９１０の原点座標９１１との相対値を変更して行う。オペレータは、見当加減の調整を行う場合には、原点座標９１１の指示を行えばよい。具体的には、図４に示す配置情報２０３内の原点座標（ｘ，ｙ）の値が書き換えられる。これにより、図９（ａ）に示すように、ページデータ９１０全体の位置がページデータ９１０ａの位置に移動する。
【００４１】
次に、露光加減の調整とは、ページデータの画素の色調を調整するものである。ここで、調整に用いるファイルが演算後ファイル２０１かページ記述言語ファイル５０１かで露光加減が行える単位（範囲）が限定される。
【００４２】
演算後ファイル２０１の場合は、図９（ｂ）に示すように、ページデータ単位でのみ濃度の調整を行うことができる。これは、ＲＩＰファイル２０２が１ページ毎にラスター化された連続データとして構成されているためである。図９（ｂ）において、露光加減の調整領域の指定は、ページデータ９１０の原点座標９１１と当該ページデータ９１０の対角座標９１２の２点の座標を指示し、当該２点の座標に囲まれる矩形領域を与えることで行う。従って、オペレータは、露光加減の調整を行う場合には、この原点座標９１１と対角座標９１２とを指示すればよい。具体的には、図４に示すように原点座標９１１と対角座標９２とは一対で配置情報２０３内に格納されているので、すなわち該当するページ番号を指示することになる。これにより、ページデータ単位での濃度調整が可能となる（図９（ｂ）のページデータ９１０ｂ）。
【００４３】
これに対し、ページ記述言語ファイル５０１の場合は、上述のページデータ単位の調整に加え、ページデータ内のある部分（絵柄などの部品）単位で調整を行う部分露光加減が可能となる。これは、ページ記述言語データ５０２が、各部品ごとに複数のベクトルデータの集まりという「ジョブ」単位で記述されているためである（図６および図１１を参照）。このため、例えば、図９（ｃ）におけるページデータ９２０内のハートマーク絵柄の内部のみといったようベクトルデータが形成する閉ループ領域を指定して濃度補正を行うことが可能となる。従って、オペレータは、このハートマーク絵柄について部分露光加減の調整を行う場合には、当該ハートマーク絵柄を構成するベクトルデータが形成する閉ループを指示すればよい。具体的には、図６に示したジョブ単位を指示することで行う。これにより、部品単位での濃度補正が可能となる（図９（ｃ）のページデータ９２０ａ）。
【００４４】
上述した方法により露光加減の調整を行う領域が指定されると、当該領域内の露光濃度の補正が行われる。この露光濃度の補正の方法としては、主に２通りあり、以下に示すような方法で行われる。
【００４５】
１つは、調整したい濃度の変化量を数値で入力する調整の方法である。この調整方法は、現在設定されているそれぞれの濃度にどれだけ濃度を加算（あるいは減算）するのかを入力し、既設定値を変更するというものである。よって、オペレータは、端末２１から補正したい差分の数値を入力するだけでよい。例えば、＋１０［％］という数値を入力した場合、図１０（ａ）に示すように、入力によって設定された太線に従って現在１０％の濃度が２０％の濃度に、現在４０％の濃度が５０％の濃度に、現在７０％の濃度が８０％の濃度にといったように全濃度が一律にリニアに補正される。
【００４６】
もう１つは、トーンカーブを使用して濃度の調整を行う方法である。トーンカーブとは、図１０（ｂ）において太線で示すような露光濃度の補正を行うために予め設定された曲線をいう。このトーンカーブは、予め複数存在し（記憶装置４１に格納されている）、その使用目的に応じたトーンカーブを選択することで既設定値を変更する。よって、オペレータは、適切なトーンカーブを端末２１から選択するだけでよい。トーンカーブを使用すると、１ページ内に各々異なる複数の濃度領域があった場合、現在の各々濃度領域は、当該トーンカーブによって定められる濃度に従って個別に補正されることになる。例えば、図１０（ｂ）においては、現在１０％の濃度が１２％の濃度に、現在４０％の濃度が５８％の濃度に、現在７０％の濃度が７５％の濃度に補正される。
【００４７】
再び図８を参照して、上記ステップＳ８１１において露光加減の調整の指示があると、図１２に示すような補正テーブルを作成する（ステップＳ８１２）。この補正テーブルは、上述の数値入力による指示の場合には、当該数値を各濃度に加算した（もちろん、数値を加算した後の濃度が１００％を超える場合には、当然に濃度１００％に制限されることとなる）値からなるテーブルとなる。一方、上述のトーンカーブを使用する場合には、トーンカーブから算出される各濃度からなるテーブルが作成される（図示せず）。この補正テーブルは、後段の網点生成時において参照され、濃度の変換に使用される。具体的には、図１２において、現在の濃度が１０％である画素の網点を生成する際に、補正テーブルの「現在の網濃度」の１０％欄を参照して「補正後の網濃度」２０％という濃度を得て、これに基づいて網点を生成する。
なお、上記数値入力による指定およびトーンカーブによる指定は、上述したＲＩＰファイル２０２またはページ記述言語データ５０２のＹ，Ｍ，Ｃ，Ｋおよび特色の各版ごとに可能であり、この場合には補正テーブルも各版ごとに作成される。
【００４８】
上記補正テーブル作成の後は、上記ステップＳ８１１において指示された露光加減の調整を行う領域を示す加減領域情報を作成する（ステップＳ８１３）。この加減領域情報とは、選択ファイルの内、どのページまたは領域に対して露光加減の指示が出されているかを示すものである。そして、加減領域情報も上記補正テーブルと同様に、後段の網点生成時において使用され、濃度の変換に使用される。また、この加減領域情報は、記憶装置４１に保存しておくことで、今後の再版の時等に活用することができる。
【００４９】
上記加減領域情報を作成した後、あるいは露光加減の調整を行わない場合は、最終的なラスターイメージを構成するために必要な付け合わせ情報を作成する（ステップＳ８１４）。この付け合わせ情報には、上記ステップＳ８０６およびＳ８０９における付け合わせ編集および見当加減の指示の内容が含まれている。また、付け合わせ情報は、記憶装置４１に保存しておくことで、今後の再版の時等に活用することができる。そして、付け合わせ情報を作成した後、デジタル殖版機１は、当該付け合わせ情報を参照して、各ページ単位ではなく印刷用紙１面としてのラスターイメージのデータを構成する（ステップＳ８１５）。
【００５０】
なお、ページ記述言語ファイル５０１を用いた殖版処理の場合は、上記ステップＳ８１５の段階で始めてＲＩＰ演算処理がされることになる。この場合、製版工程と刷版・印刷工程との双方にＲＩＰ演算を行う手段が個別に必要となるため、上記ステップＳ８１４の処理後のページ記述言語ファイル５０１を再び製版工程に送り返して製版工程が備えるＲＩＰ演算手段によってＲＩＰ演算処理を行い、当該処理後に刷版・印刷工程にもう一度戻す方法を採ってもよい。
【００５１】
再び図８を参照して、次に、上記ステップＳ８１５において構成したラスターイメージのデータをラスタライズして網点を生成する（ステップＳ８１６）。このステップＳ８１６における網点の生成は、図１３に示すような処理によって行われる。図１３は、網点生成の際に行われる処理のフローチャートである。
【００５２】
図１３を参照して、ラスタライズする部分の加減領域情報を確認する（ステップＳ１３０１）。そして、加減焼きが指定（すなわち、露光加減の調整を指示）されているか否かを判断する（ステップＳ１３０２）。この判断の結果、加減焼きが指定されている場合は、上記補正テーブルを参照して網濃度を決定する（ステップＳ１３０３）。一方、加減焼きが指定されていない場合は、補正することなく現在の網濃度をそのまま決定する（ステップＳ１３０４）。そして、以上の処理をラスタライズを終わるまで繰り返して行う（ステップＳ１３０５）。なお、図示はしないが、この網点生成の時には、印刷を行う印刷機のキャリブレーションが行われ、当該印刷機に合わせドットゲインの調整も加えられる。
【００５３】
再び図８を参照して、上記生成した網点に基づいて、刷版が作成される（ステップＳ８１７）。そして、この刷版を用いて印刷が行われる（ステップＳ８１８）。ここで、最終段階の確認として上記印刷された印刷物の焼き具合を確認し（ステップＳ８１９）、焼き具合に問題がなければそのまま印刷を継続するが（ステップＳ８２０）、焼き具合に問題がある場合には、上述した見当加減および露光加減の再調整を行った後、再び刷版を作成すべくラスターイメージの再構成を行う（ステップＳ８０８〜Ｓ８１５）。
【００５４】
上述のように、本発明の一実施形態に係るデジタル殖版機１は、従来のフィルムを用いた手作業によるアナログ的な見当加減および露光加減の調整を、ＲＩＰファイル２０２と配置情報２０３とから構成される演算後ファイル２０１、または、ページ記述言語データ５０２と配置情報５０３とから構成されるページ記述言語ファイル５０１を選択的に用いて、デジタル的に行っている。
従って、本発明の一実施形態に係るデジタル殖版機１は、見当加減および露光加減の調整を、作業者の熟練した技術と経験に頼ることなく、デジタルデータの相対的な変更処理（数値入力または指示）によって確実かつ迅速に行うことができる。これにより、刷版・印刷工程での作業の省力化が図れると共に、印刷精度の向上をも図ることができる。
【００５５】
なお、上述の本発明の一実施形態に係るデジタル殖版機１においては、演算後ファイル２０１とページ記述言語ファイル５０１とを選択的に用いることができるように選択部１７を備えているが、当該選択部１７を備えずに、当該双方のファイルの内いずれか一つを専用に使用するデジタル殖版機であっても構わない。
【００５６】
また、典型的には、本発明の一実施形態に係るデジタル殖版機１の各機能は、所定のプログラムデータが格納された記憶装置（ＲＯＭ，ＲＡＭ，ハードディスク等）と、当該プログラムデータを実行するＣＰＵ（セントラル・プロセッシング・ユニット）とによって実現される（図１４を参照）。この場合、各プログラムデータは、ＣＤ−ＲＯＭやフロッピーディスク等の記録媒体を介して導入されてもよいし、通信によって導入されてもよい。
【図面の簡単な説明】
【図１】本発明の一実施形態に係るデジタル殖版機を用いる処理システムの構成を示すブロック図である。
【図２】図１の演算後ファイル２０１のデータ構造の一例を示した図である。
【図３】図２のＲＩＰファイル２０２のデータ構造の一例を示す図である。
【図４】図２の配置情報２０３のデータ構造の一例を示す図である。
【図５】図１のページ記述言語ファイル５０１のデータ構造の一例を示した図である。
【図６】図５のページ記述言語データ５０２のデータ構造の一例を示す図である。
【図７】本発明の一実施形態に係るデジタル殖版機の構成を示すブロック図である。
【図８】図７のデジタル殖版機１を含んだ刷版・印刷工程における処理の流れの一例を示す図である。
【図９】見当加減および露光加減の調整の一例を示す図である。
【図１０】露光加減の補正値の算出に使用するリニア直線およびトーンカーブの一例を示す図である。
【図１１】部分露光加減の調整を行う部品のベクトルデータの一例を示す図である。
【図１２】補正テーブルの一例を示す図である。
【図１３】図８のステップＳ８１６において行われる処理のフローチャートである。
【図１４】本発明の一実施形態に係るデジタル殖版機１を用いる処理システムの現実的な構成を示すブロック図である。
【図１５】従来のフィルムを用いる処理システムの一構成を示すブロック図である。
【符号の説明】
１…デジタル殖版機
１１…圧縮解凍部
１２…面付け部
１３…大貼り部
１４…アクセサリー処理部
１５…コントロール部
１６…網点生成部
１７…選択部
２１…端末
３１…印刷機
４１…記憶装置
２０１…演算後ファイル
２０２…ＲＩＰファイル
２０３、５０３…配置情報
５０１…ページ記述言語ファイル
５０２…ページ記述言語データ
９００…印刷用紙
９０１…仕上がり原点（座標）
９１０、９１０ａ、９１０ｂ、９２０、９２０ａ…ページデータ
９１１、９１１ａ、９２１…ページ原点（座標）
９１２…対角点（座標）
【図１】
0003589339.tif 000002
【図２】
0003589339.tif 000003
【図３】
0003589339.tif 000004
【図４】
0003589339.tif 000005
【図５】
0003589339.tif 000006
【図６】
0003589339.tif 000007
【図７】
0003589339.tif 000008
【図８】
0003589339.tif 000009
【図９】
0003589339.tif 000010
【図１０】
0003589339.tif 000011
【図１１】
0003589339.tif 000012
【図１２】
0003589339.tif 000013
【図１３】
0003589339.tif 000014
【図１４】
0003589339.tif 000015
【図１５】
0003589339.tif 000016